(57)【要約】【課題】壁体に着脱自在に取り付けられる壁取付け物が下側から力が加わっても壁体から脱落するのを有効に防止することができること。【解決手段】壁体Ｗの湾曲溝の形態の被係入部２４に係入する係入部を有して壁体Ｗから抜け止めされ、自重で壁体Ｗに押し付けられて取り付けられる棚板支持ユニット（壁取付け物）３０に係合して押し付ける脱落防止片５４Ｅと楔受け片５４Ｓとを有する脱落防止部材５４の係入部５２を壁体Ｗの被係入部２４に係入し、楔受け片５４Ｓと壁体Ｗとの間に差し込み部材５６の楔部分５６Ｗを挿入して脱落防止片５４Ｅを介して棚板支持ユニット３０に対向して棚板支持ユニット３０の脱落を防止する。【選択図】図３
2007097978.tif 000002
【特許請求の範囲】
【請求項１】
上向き又は下向きに湾曲又は曲折して凹ませ又は突出して形成された被係入部を有する壁体の前記被係入部に係入して前記壁体から抜け止めすべき上向きまたは下向きに湾曲又は曲折して凹ませ又は突出して形成された係入部を有し自重で前記壁体に押し付けられる壁取付け物が前記壁体から脱落するのを防止する壁取付け物脱落防止具において、前記壁体の被係入部の前記壁取付物の係入部が係入する部分から外れた延長部分に係入する係入部を有する脱落防止部材と前記脱落防止部材の係入部が前記壁体の被係入部に係入した状態で前記脱落防止部材を前記壁取付け物に対向して前記壁取付け物の脱落が防止されるように前記壁体と前記脱落防止部材との間に差し込まれる楔部分を有する差し込み部材とから成っていることを特徴とする壁取付け物脱落防止具。
【請求項２】
請求項１に記載の壁取付け物脱落防止具であって、前記脱落防止部材は、前記差し込み部材の楔部分が差し込まれると前記壁取付け物に押し付けられることを特徴とする壁取付け物脱落防止具。
【請求項３】
請求項１又は２に記載の壁取付け物脱落防止具であって、前記脱落防止部材は、前記係入部が前記被係入部に係入したときに前記壁取付け物に対向する脱落防止片と前記壁体に相対して前記壁体との間で前記差し込み部材の楔部分を受け入れる楔受け片とから成っていることを特徴とする壁取付け物脱落防止具。
【請求項４】
請求項３に記載の壁取付け物脱落防止具であって、前記脱落防止部材の前記楔受け片は、前記差し込み部材の楔部分の凹部又は突部が摺動自在に係合する突状又は凹状レールを有することを特徴とする壁取付け物脱落防止具。
【請求項５】
請求項４に記載の壁取付け物脱落防止具であって、前記脱落防止部材の前記突状又は凹状レールと前記レールに係合する前記差し込み部材の楔部分の前記凹部又は突部の少なくともいずれか一方にはローレットが設けられていることを特徴とする壁取付け物脱落防止具。
【請求項６】
請求項１乃至５のいずれかに記載の壁取付け物脱落防止具であって、前記差し込み部材の楔部分は、中空体から成っていることを特徴とする壁取付け物脱落防止具。
【請求項７】
請求項５に記載の壁取付け物脱落防止具であって、前記脱落防止部材の前記突状又は凹状レールに係合する前記差し込み部材の楔部分の前記凹部又は突部に弾性を付与するように前記凹部又は突部の板部分にスリットが設けられていることを特徴とする壁取付け物脱落防止具。
【発明の詳細な説明】
【技術分野】
【０００１】
本発明は、例えば、棚板又はこの棚板を壁体に支持する棚板支持ユニットの如き壁体に着脱自在に取り付ける壁取付け物が壁体から脱落するのを防止する壁取付け物脱落防止具に関するものである。
【背景技術】
【０００２】
棚板の如き目的物を壁体支持ユニットを介して又は直接壁体に着脱自在に取付ける場合に、この目的物又は壁体支持ユニットの如き壁取付け物が壁体に設けられた湾曲凹状の被係入部に係入するようにこの被係入部に相応する形態の係入部を有してこの係入部を被係入部に係入して抜け止めしつつ壁取付け物をそれ自体の重量で壁体に押し付けて壁取付け物を壁体に着脱自在に支持する壁取付け物取付け装置は既に知られている。
【０００３】
このような壁取付け物取付け装置の１例として棚受け金具が特許文献１に記載されている。この棚受け金具は、壁体に取付けられるべき壁体取付けユニットと、棚板が差し込まれてこの棚板を支持して壁体取付けユニットに着脱自在に取付けられるべき棚板支持ユニットとから成り、壁体取付けユニットは、棚板支持ユニットの係入部が係入すべき被係入部を有し、この被係入部は、奥行きに向けて上向きに湾曲された湾曲溝の形態を有し、棚板支持ユニットの係入部は、この被係入部に相応する湾曲突部の形態を有する。
【０００４】
棚板支持ユニットは、この湾曲突部の形態の係入部を壁体取付けユニットの湾曲溝の形態の被係入部に差し込んで係入して壁体から抜け止めしつつ、棚板を含む棚板支持ユニットの自重で壁体に押し付けて壁体に着脱自在に取付けられる。
【０００５】
しかし、このように、壁体に取り付けられるべき棚板支持ユニットがその係入部を壁体取付けユニットの被係入部に差し込んで係入して抜け止めされていても、棚板支持ユニットは、自重で壁体に押し付けられているだけであると、地震の揺れ等を受けて棚板支持ユニットに下側から上向きに力が加わると、棚板支持ユニットの自重に抗してその係入部が壁体取付けユニットの被係入部から抜け出す方向に作用して棚板支持ユニットが壁体から脱落する虞がある。
【０００６】
湾曲溝の形態ではないが、水平溝を有する壁の水平溝（被係入部）内に棚板支持ユニットの鉤型の係入部を挿入し水平溝の奥に設けられた段状へこみに係止し、棚板支持ユニットの自重で棚板支持ユニットを壁体に着脱自在に取付ける棚板取付け装置において、棚板支持ユニットに下から力が加わった場合に、棚板支持ユニットが水平溝から抜け出るのを防止するために、棚板支持ユニットの係入部が水平溝内に差し込まれて係止された後に、この水平溝の隙間に差し込んで棚板支持ユニットが水平溝から脱落するのを防止するストッパー部材から成る脱落防止具が提案されている（特許文献２参照）。このストッパー部材は、棚板支持ユニットにピボット止めされていて、棚板支持ユニットが水平溝に係止された後、ピボットを中心に枢動して水平溝の隙間に押し込まれる。
【０００７】
しかし、この構造の脱落防止具は、棚板支持ユニットの係入部が水平溝に差し込んで水平溝の段状ヘこみに係止された後の隙間を利用してストッパー部材を差し込むので、特許文献１に示されるように、棚板支持ユニットの係入部が壁体側の溝である被係入部が湾曲していたり、被係入部に隙間なく差し込まれたりしている形態の壁取付け物壁体取付け装置には適用することができない。
【０００８】
また、特許文献２の脱落防止具は、単に溝内に差し込まれて棚板支持ユニットの上面に係合しているだけであり、ストッパー部材が棚板支持ユニットに下向きの力を掛けるものではないので、下側から上向きに大きな力が加わった場合には、この力に充分に抵抗することができないため、棚板支持ユニットが脱落する欠点がある。なお、この脱落防止具は、壁取付け物である棚板自体が同様の構造で直接壁体に取付けられる場合に適用しても同様の欠点が生ずる。
【０００９】
【特許文献１】実用新案登録第３０７８６９２号公報
【特許文献２】特開２００４−２１６０５２号公報
【発明の開示】
【発明が解決しようとする課題】
【００１０】
本発明が解決しようとする１つの課題は、壁取付け物壁体取付け装置の壁取付け物の係入部が係入する被係入部が湾曲していたり、係入部が被係入部に隙間なく差し込まれたりしていても壁取付け物が脱落するのを防止することができる壁取付け物脱落防止具を提供することにある。
【００１１】
本発明が解決しようとする他の課題は、壁取付け物壁体取付け装置の壁取付け物に下側から大きな力が加わっても壁取付け物が脱落するのを有効に防止することができる壁取付け物脱落防止具を提供することにある。
【課題を解決するための手段】
【００１２】
本発明の基本的な課題解決手段は、上向き又は下向きに湾曲又は曲折して凹ませ又は突出して形成された被係入部を有する壁体の被係入部に係入して壁体から抜け止めすべき上向きまたは下向きに湾曲又は曲折して凹ませ又は突出して形成された係入部を有し自重で壁体に押し付けられる壁取付け物が壁体から脱落するのを防止する壁取付け物脱落防止具において、壁体の被係入部の壁取付物の係入部が係入する部分から外れた延長部分に係入する係入部を有する脱落防止部材とこの脱落防止部材の係入部が壁体の被係入部に係入した状態で脱落防止部材を壁取付け物に対向して壁取付け物の脱落が防止されるように壁体と脱落防止部材との間に差し込まれる楔部分を有する差し込み部材とから成っていることを特徴とする壁取付け物脱落防止具を提供することにある。
【００１３】
本発明の基本的な課題解決手段において、脱落防止部材は、差し込み部材の楔部分が差し込まれると壁取付け物に押し付けられるのが望ましい。
【００１４】
また、この脱落防止部材は、係入部が被係入部に係入したときに壁取付け物に係合する脱落防止片と壁体に相対して壁体との間で差し込み部材の楔部分を受け入れる楔受け片とから成っているのが好ましい。
【００１５】
この場合、脱落防止部材の楔受け片は、楔部分の凹部又は突部が摺動自在に係合する突状又は凹状レールを有し、また脱落防止部材の突状又は凹状レールとこのレールに係合する楔部分の凹部又は突部の少なくともいずれか一方にはローレットが設けられているのが好ましい。
【００１６】
また、差し込み部材の楔部分は、中空体から成っているのが望ましく、更に、脱落防止部材の突状又は凹状レールに係合する楔部分の凹部又は突部に弾性を付与するように凹部又は突部の板部分にスリットが設けられているのが望ましい。
【発明の効果】
【００１７】
本発明によれば、上記のように、脱落防止具が壁体の被係入部の壁取付物の係入部が係入する部分から外れた延長部分に係入する係入部を有する脱落防止部材とこの脱落防止部材を壁取付け物に対向して壁取付け物の脱落が防止されるように壁体と脱落防止部材との間に差し込まれる楔部分を有する差し込み部材とから成っているので、壁取付け物の係入部と壁体の被係入部との隙間に差し込む必要がなく、ほとんど隙間なく係入部が被係入部に係入していたり被係入部が湾曲していたりする形態の壁取付け物壁体取付け装置に容易に適用することができる。
【００１８】
また、差し込み部材の楔部分が脱落防止部材に下向きの力を付与する形態とすると、壁取付け物の自重による壁体への押し付けを補強するので、下側から上向きに大きな力が働いても壁取付け物が脱落するのを有効に防止することができる。
【発明を実施するための最良の形態】
【００１９】
本発明の1つの実施の形態による壁取付け物脱落防止具を棚受け金具に適用した例をその使用状態と共に図１乃至図７を参照して詳細に述べる。この例では、壁取付け物は、目的物である棚板４０を支持する棚板支持ユニット３０であって、本発明の壁取付け物脱落防止具５０は、この棚板支持ユニット３０の脱落を防止するが、この棚板支持ユニット３０を介することなく棚板（壁取付け物）４０を直接壁体Ｗに取付ける場合にも本発明の壁取付け物脱落防止具を使用して棚板４０の脱落を防止することができる。
【００２０】
棚受け金具１０は、図示の形態では、壁体Ｗに取付けられるべき壁体取付けユニット２０と棚板４０を支持して壁体取付けユニット２０に着脱自在に取付けられるべき棚板支持ユニット３０とから成っている。壁体取付けユニット２０、棚板支持ユニット３０及び棚板４０は、金属、木材、プラスチックその他の適宜の材料から作ることができる。
【００２１】
壁体取付けユニット２０は、横長に形成されており、図示の形態では、止めねじ２２が貫通するねじ孔２０Ｈを有し、また軽量化の目的で多数の空洞を有する。壁体取付けユニット２０は、棚板支持ユニット３０の後に述べる係入部３２（図７参照）が係入すべき被係入部２４を有し、図示の態様では、この被係入部２４は、奥行きに向けて上向きに湾曲された湾曲溝の形態を有する。この被係入部２４は、棚板支持ユニット３０の係入部３２を抜け止め状態で着脱自在に係入することができれば、上向き湾曲溝に代えて、下向き湾曲溝や、湾曲ではなく上下へ曲折した溝であってもよい。
【００２２】
棚板支持ユニット（壁取付け物）３０は、図１乃至図７に示すように、棚板４０を挟持すべきポケット３０Ｐを形成すべき上下２つの支持部材３４Ｕ、３４Ｄから成っている。上部支持部材３４Ｕは、ポケット３０Ｐの上面と端面とを形成するポケット形成部分３４ＵＰと端面から垂下する脚部分３４ＵＬとから成っている。下部支持部材３４Ｄは、ポケット３０Ｐの下面を形成すると共に棚板４０の前方下面まで延びて棚板４０を下支えするポケット形成支え部分３４ＤＰとこのポケット形成支え部分３４ＤＰの先端から下向きに傾斜して壁体Ｗまで延びる傾斜板部分３４ＤＩとポケット形成支え部分３４ＤＰの中間から垂下し上部支持部材３４Ｕの脚部分３４ＵＬに平行に延びる脚部分３４ＤＬとから成っている。
【００２３】
図示の形態では、図１及び図７に示すように、上部支持部材３４Ｕの脚３４ＵＬと下部支持部材３４Ｄの脚３４ＤＬとは、相互に係合する上下２つの傾斜面３４ＵＬＳと３４ＤＬＳとを有し、これらの上下の支持部材３４ＵＬと３４ＤＬとを締付ボルト３６で締付けると、ポケット形成部分３４ＵＰとポケット形成支え部分３４ＤＰとが傾斜面３４ＵＬＳと３４ＤＬＳとに沿って相互に接近してこれらの間に挟まれた棚板４０を締付けて支持する。
【００２４】
棚板支持ユニット（壁取付け物）３０の係入部３２は、図７に示すように、上部支持部材３４Ｕのポケット形成部分３４ＵＰの壁体Ｗ側の縁から延びており、この係入部３２は、壁体取付けユニット２０の被係入部２４を補完するように相応する形状を有し、従って図示の態様では、この被係入部２４と同様に、先端に向けて上向きに湾曲された湾曲突片の形態を有する。
【００２５】
棚板支持ユニット（壁取付け物）３０は、その係入部３２を壁体取付けユニット２０の被係入部２４に係入して抜け止めした状態で壁体取付けユニット２０を介して壁体Ｗに取付けられる。棚板支持ユニット（壁取付け物）３０は、この抜け止め状態で、図１乃至図７に示すように、その自重によって締め付ボルト３６の頭部及び下部支持部材３４Ｄの傾斜部分３４ＤＩが壁体Ｗに係合して押し付けられる。なお、図１乃至７において、符号ＷＳは、壁体Ｗに取り付けられた壁体取付けユニット２０を隠蔽するように壁体Ｗの表面に貼り付けられた化粧板であり、この化粧板ＷＳは、被係入部２４のみが露出して棚板支持ユニット３０の係入部３２が被係入部２４に係入するのを許している。
【００２６】
本発明の壁取付け物脱落防止具５０は、壁体Ｗ、即ち壁体取付けユニット２０の被係入部２４の延長部分（棚板支持ユニット３０の係入部３２が係入する部分から外れた部分）２４Ｅ（図４参照）に係入する係入部５２を有して壁取付け物である棚板支持ユニット３０の脱落を防止すべき脱落防止部材５４と、この脱落防止部材５４の係入部５２が壁体Ｗの被係入部２４に係入した状態で脱落防止部材５４を棚板支持ユニット（壁取付け物）３０に対向して棚板支持ユニット（壁取付け物）３０の脱落が防止されるように壁体Ｗと脱落防止部材５４との間に差し込まれる楔部分５６Ｗを有する差し込み部材５６とから成っている。脱落防止部材５４は、例えば、シルバーアルマイトの如き金属又は金属被覆樹脂その他適宜の材料から作られ、また差し込み部材５６は、ポリアセタールの如き樹脂その他の適宜の材料から作られる。
【００２７】
脱落防止部材５４は、図１乃至６及び図８に示すように、その係入部５２が壁体Ｗの被係入部２４に係入したときに棚板支持ユニット（壁取付け物）３０に係合し又は接近して対向する脱落防止片５４Ｅとこの脱落防止片５４Ｅに一体に形成され壁体Ｗに相対して壁体Ｗとの間で楔部材５６の楔部分５６Ｗを受け入れる楔受け片５４Ｓとから成っている。
【００２８】
図示の形態では、脱落防止部材５４の楔受け片５４Ｓは、図２に示すように、係入部５２を壁体Ｗ（実際は壁体取付けユニット２０）の被係入部２４に係入した状態で上向きに壁体Ｗから離れる方向に傾斜している。また、この楔受け片５４Ｓは、図９を参照して後に述べる差し込み部材５６の楔部分５６Ｗの凹部５６Ｒが摺動自在に係合する突状レール５４ＳＲを有し、また脱落防止部材５４の楔受け片５４Ｓの突状レール５４ＳＲと楔部分５６Ｗの凹部５６Ｒの少なくともいずれか一方にローレットが設けられている。図示の形態では、レール５４ＳＲの一側にローレット５４ＳＲＲが設けられているが、このローレットは、楔部分５６Ｗの凹部５６Ｒの内側面に設けられていてもよい。このローレット５４ＳＲＲは、楔受け片５４Ｓのレール５４ＳＲに楔部分５６Ｗの凹部５６Ｒが高い面抵抗で接触する働きを有している。
【００２９】
差し込み部材５６の楔部分５６Ｗは、図９に示すように、凹部５６Ｒを有する側に傾斜外面５６ＩＳを有する中空体から成っており、図示の形態では、凹部５６Ｒを有する側とは反対側の面が開口している。また、この楔部分５６Ｗは、凹部５６Ｒが楔受け片５４Ｓのローレット５４ＳＲＲに係合する側面にローレット５４ＳＲＲに噛み合う噛み合い突起５６ＲＰが設けられている。更に、楔部分５６Ｗは、脱落防止部材５４の突状レール５４ＳＲに係合する凹部５６Ｒの内側面に弾性を付与するように凹部の側面部分にスリット５６ＲＳが設けられている。このように、楔部分５６Ｗがスリット５６ＲＳによって弾性が付与されると、楔部分５６Ｗは、壁体Ｗと脱落防止部材５４の楔受け片５４Ｓとの間に弾性的に食い込まれて脱落防止部材５４の脱落防止片５４Ｅを下向きに押し付ける力が働き、この脱落防止片５４Ｅが対向している棚板支持ユニット（壁取付け物）３０を下向きに押し付けるので、棚板支持ユニット３０に地震等の下側からの力が加わっても、これに抵抗して棚板支持ユニット（壁取付け物）３０が脱落するのを有効に防止することができる。
【００３０】
次に、本発明の脱落防止具５０の使用状態を述べると、図５乃至図７に示すように、上下の支持部材３４Ｕと３４Ｄのポケット３０Ｐの中に棚板４０を挟み込んでこれらの支持部材３４Ｕ、３４Ｄの脚部分３４ＵＬ、３４ＤＬを締め付けボルト３６で締め付けて棚板４０を棚受け金具１０の棚板支持ユニット３０に挟持した後、この棚板支持ユニット３０の突片の形態の係入部３２を壁体Ｗ側の湾曲溝の形態の被係入部２４に差し込んで抜け止めした状態で、棚板４０を含む棚板支持ユニット３０の自重で棚板支持ユニット３０を壁体Ｗに押し付けて棚板４０を棚板支持ユニット３０を介して取り付ける。
【００３１】
次いで、図１に示すように、本発明の脱落防止具５０の脱落防止部材５４の突片の形態の係入部５２を壁体Ｗ側の湾曲溝の形態の被係入部２４の延長部分（壁取付物の係入部５２が係入する部分から外れた部分）２４Ｅ（図４参照）に差し込む。このようにして、係入部５２が被係入部２４の延長部分２４Ｅに奥まで差し込まれると、図２及び図３に示すように、脱落防止部材５４の脱落防止片５４Ｅが棚受け金具１０の棚板支持ユニット３０の上部支持部材３４Ｕのポケット形成部分３４ＵＰの上面に対向し係合する。
【００３２】
その後、図２及び図３に示すように、脱落防止具５０の脱落防止部材５４の楔受け片５４Ｓのレール５４ＳＲに差し込み部材５６の楔部分５６Ｗの凹部５６Ｒを係合しつつ楔受け片５４Ｓと壁体Ｗとの間に楔部分５６Ｗを入り込ませてレール５４ＳＲに沿って楔部分５６Ｗを押し下げる。このようにすると、脱落防止部材５４の楔受け片５４Ｓは、楔部分５６Ｗの押し下げに応じて図３の時計方向にレバー作用が付与されるので、脱落防止片５４Ｅに棚板支持ユニット３０の支持部材３４に下向きの力が作用する。楔部分５６Ｗは、中空体であるので弾性を有しており、また、楔受け片５４Ｓのレール５４ＳＲのローレット５４ＳＲＲに楔部材５６の凹部５６Ｒの突起５６ＲＰとの噛み合いで壁体Ｗと楔受け片５４Ｓとの間に位置保持されるので、棚板支持ユニット３０に対する下向きの力が解除されることがない。従って，地震の揺れ等によって棚板支持ユニット３０に上向きの力が作用しても、脱落防止具５０によって棚板支持ユニット３０が壁体Ｗから脱落することがない。
【００３３】
図４は、脱落防止具５０は、棚板支持ユニット３０の上部支持部材３４Ｕの一端を押し付けているのが示されているが、棚板支持ユニット３０の上部支持部材３４Ｕの他端も別個の脱落防止具５０によって同様にして押し付けられる。
【００３４】
なお、図５において、符号５６ＲＯは、楔部分５６Ｗをつまんで壁体Ｗと楔受け片５４Ｓとの間に差し込む際に、滑り止めとして作用するローレットであるが、このローレットに代えて楔部分５６Ｗを押し下げるための把手が上方に設けられていてもよい。
【００３５】
また、上記の実施の形態において、棚受け金具１０の被係入部２４が凹状で係入部３２が突状であったが、被係入部２４が突状で係入部３２が凹状であってもよく、この場合には、脱落防止具５０の係入部５２も凹状とする。また、上記の実施の形態において、棚板４０が棚板支持ユニット３０を介して壁体Ｗに取り付けているが、棚板４０が係入部３２と自重で壁板Ｗに支持される形態である場合にも、この棚板４０を壁取付け物として本発明の脱落防止具５０を使用することができる。更に、壁取付け物は、壁板Ｗに被係入部２４と壁取付け物の係入部３２とで抜け止めしつつ自重で壁体に取り付けられるものであれば、棚板又はその支持ユニットに限らず他の壁取付け物にも本発明の脱落防止具を使用することができる。
【００３６】
更に、上記の実施の形態では、楔部分５６Ｗの押し下げで脱落防止部材５４の脱落防止片５４Ｅが棚板支持ユニット３０の上部支持部材３４Ｕを押し付けるように配置されているが、脱落防止部材５４の脱落防止片５４Ｅは、棚板支持ユニット３０の上部支持部材３４Ｕに軽く係合するか小さな隙間を保って対向させ、脱落防止部材５４の他の部分が壁体Ｗに係止していて脱落防止具５０が壁体Ｗから外れないようになっていてもよい。
【００３７】
また、上記の実施の形態では、楔部分５６Ｗが差し込み部材５６の全体を構成していたが、例えば、差し込み部材５６が、脱落防止部材５４の楔受け片５４Ｓに嵌合する形態を有していて差し込み部材５６が楔受け片５４Ｓの内側に入り込む楔部分５６Ｗと楔受け片５４Ｓの外側に位置する部分とから成っていてもよい。
【産業上の利用可能性】
【００３８】
本発明の脱落防止具は、壁体の被係入部に係入して抜け止めする係入部を有する壁取付け物に対向するので、壁取付け物に地震の揺れ等によって上向きの力が付与されても壁取付け物を壁体から脱落するのを有効に防止することができ、産業上の利用性が向上する。
【図面の簡単な説明】
【００３９】
【図１】壁取付け物が棚受け金具の棚板支持ユニットである場合にこの棚板支持ユニットの落を防止するために本発明の1つの実施の形態による壁取付け物脱落防止具を取付けようとしている状態の側断面図である。
【図２】図１の壁取付け物脱落防止具の脱落防止部材が壁体にセットされた状態の側断面図である。
【図３】図１の壁取付け物脱落防止具の全体が壁体と棚受け金具の棚板支持ユニットとの間に完全にセットされた状態の側断面図である。
【図４】図３の状態にある壁取付け物脱落防止具と棚受け金具との正面図である。
【図５】図３の脱落防止具の拡大側面図である。
【図６】図５のＶＩ−ＶＩ線断面図である。
【図７】図４のＶＩＩ−ＶＩＩ線断面図である。
【図８】図１乃至図７の壁取付け物脱落防止具の脱落防止部材を示し、同図（Ａ）は、その側面図、同図（Ｂ）は、正面図、同図（Ｃ）は、背面図、同図（Ｄ）は、上面図、同図（Ｅ）は、図６（Ｄ）の上端部分の拡大図である。
【図９】図１乃至図７の壁取付け物脱落防止具の楔部材を示し、同図（Ａ）は、その正面図、同図（Ｂ）は、背面図、同図（Ｃ）は、側面図、同図（Ｄ）は、同図（Ｂ）のＤ−Ｄ線断面図である。
【符号の説明】
【００４０】
１０  棚受け金具
２０  壁体取付けユニット
２０Ｈ  ねじ孔
２２  止めねじ
２４  被係入部
２４Ｅ  延長部分
３０  棚板支持ユニット
３０Ｐ  ポケット
３２  係入部
３４Ｕ、３４Ｄ  上下の支持部材
３４ＵＰ  ポケット形成部分
３４ＤＰ  ポケット形成・支え部分
３４ＤＩ  傾斜部分
３４ＵＬ、３４ＤＬ  脚部分
３４ＵＬＳ、３４ＤＬＳ  傾斜面
３６  締め付けボルト
４０  棚板
Ｗ  壁体
ＷＳ  化粧板
５０  壁取付け物脱落防止具
５２  係入部
５４  脱落防止部材
５４Ｅ  脱落防止片
５４Ｓ  楔受け片
５４ＳＲ  レール
５４ＳＲＲ  ローレット
５６  楔部材
５６Ｒ  凹部
５６ＲＯ  ローレット
５６ＲＰ  突起
５６ＲＳ  スリット
５６ＳＩ  傾斜外面
【図１】
2007097978.tif 000003
【図２】
2007097978.tif 000004
【図３】
2007097978.tif 000005
【図４】
2007097978.tif 000006
【図５】
2007097978.tif 000007
【図６】
2007097978.tif 000008
【図７】
2007097978.tif 000009
【図８】
2007097978.tif 000010
【図９】
2007097978.tif 000011